(57)【要約】【課題】交差する２つのＴスロットの交差部位からＴスロット内に挿入可能なＴスロット用ナットを提供すること。【解決手段】Ｔスロットの頭部溝内に収容される、矩形状の平面形態を呈するナット頭部１２と、Ｔスロットの頭部溝を外部に連通する脚部溝内に位置せしめられる、脚部溝の延びる方向に延びるナット脚部１４とを一体的に構成すると共に、ナット頭部１２のＴスロット内への挿入方向において前方側と後方側の底部角部を、それぞれ、傾斜面１６，１６とした面取り形状として、Ｔスロット用ナット１０を形成した。【選択図】          図１
2004324703.tif 000002
【特許請求の範囲】
【請求項１】
取付けテーブルの内部に位置する、Ｔ字の頭部に相当する頭部溝と、該頭部溝を外部に連通する、Ｔ字の脚部に相当する脚部溝とからなるＴスロットの二つが交差する部位において、その一方のＴスロット内に挿入せしめられるＴスロット用ナットにして、
かかるＴスロットの頭部溝内に収容される、矩形状の平面形態を呈するナット頭部と、該Ｔスロットの前記脚部溝内に位置せしめられる、該脚部溝の延びる方向に延びるナット脚部とから一体に構成されると共に、前記Ｔスロット内への挿入方向前方側と後方側に位置する前記ナット頭部の底部角部が、それぞれ、傾斜面乃至は湾曲面からなる面取り形状において形成されていることを特徴とするＴスロット用ナット。
【発明の詳細な説明】
【０００１】
【技術分野】
本発明は、取付けテーブルのＴスロット内に挿入されて、治具や工具、ワーク等の位置決め・固定に使用されるＴスロット用ナットに係り、特に、Ｔスロットへの挿入性や、挿入されたＴスロット内での保持性が有利に改良された構造に関するものである。
【０００２】
【背景技術】
従来から、工作機械のテーブルや定盤等の取付けテーブルにおいて、その上面に開口するように設けられた、断面がＴ字状の溝、所謂Ｔスロット内に挿入されて、位置決めクランプ等を行う物体を固定するために用いられるＴスロット用ナットが、各種用いられている。そして、それらのナットは、一般に、Ｔ字の頭部に相当する頭部溝と、該頭部溝を外部に連通する、Ｔ字の脚部に相当する脚部溝とからなるＴスロットの溝形状に対応した、断面が略Ｔ字形状を呈しており、通常、テーブルの端面に設けられたＴスロットの開口部から挿入されて、任意の固定位置までＴスロット内を移動させられた後に、ボルト等によって、所定の物体が締め付け、固定されるようになっている。
【０００３】
ところが、そのようなＴスロット用ナットを用いる際に、テーブルの端面に障害物が存在する場合には、テーブル端面からＴスロット内にＴスロット用ナットを挿入することが出来ない恐れがあった。また、Ｔスロットの設けられたテーブル上に、ワークや治具等が設置されている場合にあっても、テーブル端面から挿入したＴスロット用ナットを移動させる際に、それらのワークや治具に邪魔をされてしまい、目的とする使用場所にまで移動させられないという問題が惹起されることとなる。更に、テーブル端面からＴスロット用ナットを挿入する必要があるところから、テーブルが比較的大きな場合には、テーブル端面から使用する場所までＴスロット用ナットを移動させる手間がかかり、作業性の悪化につながるものであった。
【０００４】
このため、例えば、特許文献１，２において提案されているＴスロット用ナットにあっては、Ｔスロット用ナットの凸形状の底部の出張り部、つまり断面がＴ字形状における頭部の矩形形状部分のうち、脚部から頭部を貫通するように設けられたネジ穴の上面より見て右回り方向部分を斜めに切断した形状として、Ｔスロット用ナットの頭部形状を台形としたものが、明らかにされている。
【０００５】
それら特許文献に開示のＴスロット用ナットにおいては、Ｔスロット用ナットをテーブル上面よりＴスロット内へ挿入可能とするために、Ｔスロットの頭部溝内に収容される矩形形状のＴスロット用ナットの頭部の幅を、Ｔスロットの開口幅、つまりテーブル面より見て逆Ｔ字形状とされた溝の脚部幅よりも僅かに小さくすると共に、ナット頭部の矩形形状の４つの角部のうち、斜め方向に対向する２つの角部を斜めに切断して面取りすることによって、頭部形状を台形乃至は菱形形状としているのである。そして、そのようなＴスロット用ナットを、Ｔスロット内に挿入した後に、Ｔスロット内で回動させて、Ｔスロットの頭部溝内面の側壁に、Ｔスロット用ナットの、前記矩形形状の頭部の面取り部位を接触させることにより、Ｔスロット用ナットがＴスロット内で自由に回転することを抑制すると共に、Ｔスロット用ナットの頭部が、Ｔスロットの頭部溝よりも幅狭な脚部溝の内側の端面に接触することによって、Ｔスロット用ナットがＴスロット内部から抜けてしまうことを防止しているのである。
【０００６】
しかしながら、そのような頭部形状とされたＴスロット用ナットにあっては、Ｔスロットの任意の位置からＴスロット内に挿入可能となっているものの、かかるＴスロット用ナットに設けられた雌ねじ内に螺入されたボルトを締めたり、緩めたりするための回転力がナットに作用されて、Ｔスロット内部でＴスロット用ナットが回転した際に、Ｔスロット用ナットの頭部の幅が、Ｔスロットの脚部溝幅よりも小さくされているところから、Ｔスロット内からナットが抜けてしまう問題を内在しており、その結果、作業性の低下が惹起される恐れがあった。
【０００７】
また、そのようなＴスロット用ナットを、Ｔスロット内で回転可能とするために、Ｔスロット用ナットのＴ字形状における脚部の形状は、円形乃至はＴスロットの脚部溝幅よりも充分に小さい大きさの矩形形状とされている必要があるところから、Ｔスロット内で、Ｔスロット用ナットが、Ｔスロットの延びる方向のみならず、Ｔスロット用ナットの脚部とＴスロットの脚部溝との間に形成される隙間において、任意の方向に動くことが可能となり、Ｔスロットに対するＴスロット用ナットの正確な位置決めが出来ないという問題もあった。
【０００８】
【特許文献１】
実開平７−３５８１３
【特許文献２】
実開平６−３５３６
【０００９】
【解決課題】
ここにおいて、本発明は、かかる事情を背景にして為されたものであって、その解決課題とするところは、Ｔスロットの途中から挿入可能なＴスロット用ナットを提供することにある。
【００１０】
【解決手段】
そして、本発明にあっては、そのような課題を解決するために、取付けテーブルの内部に位置する、Ｔ字の頭部に相当する頭部溝と、該頭部溝を外部に連通する、Ｔ字の脚部に相当する脚部溝とからなるＴスロットの二つが交差する部位において、その一方のＴスロット内に挿入せしめられるＴスロット用ナットにして、かかるＴスロットの頭部溝内に収容される、矩形状の平面形態を呈するナット頭部と、該Ｔスロットの前記脚部溝内に位置せしめられる、該脚部溝の延びる方向に延びるナット脚部とから一体に構成されると共に、前記Ｔスロット内への挿入方向前方側と後方側に位置する前記ナット頭部の底部角部が、それぞれ、傾斜面乃至は湾曲面からなる面取り形状において形成されていることを特徴とするＴスロット用ナットを、その要旨とするものである。
【００１１】
要するに、かかる本発明に従うＴスロット用ナットにあっては、収容されるＴスロットの頭部溝と脚部溝に対応した形状のナット頭部とナット脚部が一体的に形成されているところから、そのようなナットをＴスロットに挿入した際に、ナット頭部がＴスロットの頭部溝と脚部溝によって形成される段差部に当接することによって、かかるＴスロット用ナットがＴスロット内部から抜け出してしまうことが、効果的に阻止されているのである。
【００１２】
そして、そのようなＴスロット用ナットにあっては、Ｔスロットの頭部溝内に収容せしめられる矩形形状のナット頭部の底部の一部に、傾斜面乃至は湾曲面の面取り加工がされているところから、２つのＴスロットの交差する部位から、かかるＴスロット用ナットを一方のＴスロット内に挿入しようとする際に、Ｔスロット用ナットの頭部の底部角部が、挿入方向において、他方のＴスロットを形成する溝の側部と干渉することがなくなるため、Ｔスロット用ナットを、回動させながら、一方のＴスロットの途中から容易に挿入可能となるのである。
【００１３】
しかも、このように、本発明に従うＴスロット用ナットを用いれば、Ｔスロットの交差する部位があれば、Ｔスロットの途中からＴスロット用ナットを挿入可能となっているところから、例えば、テーブル端面に障害物があって、テーブル端面からＴスロット内にＴスロット用ナットが挿入出来ない場合でも使用可能となり、更に、比較的大きなテーブル上に設けられたＴスロットにＴスロット用ナットを挿入する際にあっても、従来のように、テーブル端部よりナットをＴスロット内へ挿入する必要がないため、その作業性を有利に向上せしめ得ると共に、テーブル上にワークや治具等が設置されていて、Ｔスロット用ナットの挿入や移動の邪魔をしている場合にあっても、目的とする場所に近接するＴスロットの交差する部位からＴスロット用ナットを挿入して、そこから目標位置へと移動させれば良いため、邪魔なワークや治具等を外すといった手間が解消され、以て、迅速に作業をすることが可能となるのである。
【００１４】
さらに、そのようなＴスロット用ナットによれば、Ｔスロット内に挿入されたＴスロット用ナットに対して螺入されるボルトを締め付けたり、緩めたりする作業の際に、Ｔスロット用ナットに回転力が作用した場合にあっても、矩形状の平面形態を呈するナット頭部が、Ｔスロットの頭部溝内に収容されていることによって、かかるＴスロット用ナットがＴスロット内で回転してしまうことが阻止されているところから、従来の台形形状や菱形形状のＴスロット用ナットのように、回転力が加わった際に惹起されていた、Ｔスロット用ナットがＴスロット内から抜け外れてしまう問題が、効果的に解消されることとなる。
【００１５】
加えて、本発明に従うＴスロット用ナットにあっては、従来の台形形状や菱形形状のＴスロット用ナットのように、Ｔスロット内部でＴスロット用ナットを回転させる際に必要な、Ｔスロット用ナットの頭部とＴスロットの頭部溝との間の隙間や、Ｔスロット用ナットの脚部とＴスロットの脚部溝との間の隙間が必要でなく、Ｔスロット内で移動可能とされる方向は、Ｔスロットの延びる方向のみであるところから、Ｔスロット内におけるＴスロット用ナットの位置決めを、より簡単に、高精度に行うことが可能となるのである。
【００１６】
【発明の実施の形態】
以下、本発明を更に具体的に明らかにするために、本発明の実施の形態について、図面を参照しつつ、詳細に説明することとする。
【００１７】
先ず、図１には、本発明に従うＴスロット用ナットの一例が、その斜視形態において、概略的に示されている。かかる図より明らかなように、ナット１０は、Ｔスロットの脚部溝幅よりも幅広であり且つ頭部溝幅よりも狭い幅とされた頭部１２と、該頭部１２よりも幅狭であり且つＴスロットの脚部溝幅よりも幅狭とされた脚部１４とが、鉄等の金属の如き剛性に優れた材質によって、一体的に、且つ全体として平面形態において矩形形状を呈するように、また両側部が段付き形状を呈するように、凸型において形成されている。そして、そのようなナット１０を脚部側の上面から見て脚部１４のほぼ中央位置に、ねじ孔１８が、それら頭部１２と脚部１４とを貫通するように設けられているのである。
【００１８】
より詳細には、かかるナット１０は、図２（ａ）の断面図からも明らかなように、ナット１０のＴスロットへの挿入方向に垂直な面で切断した断面（図１におけるＡ−Ａ断面）が、ナット１０の挿入されるＴスロットに対応したＴ字状の断面形状を呈している。つまり、そのようなナット１０は、頭部１２の外面のうち、脚部１４が一体的に形成されている側において、フランジ部２０，２０が、脚部１４から外方に延びるように形成されているのである。そして、このようなフランジ部２０，２０が、ナット１０をＴスロット内に挿入した際に、Ｔスロットの脚部溝と頭部溝との間に形成される段差部と当接することによって、ナット１０が挿入されたＴスロット内から抜け出してしまうことを、阻止しているのである。加えて、そのようなナット１０の頭部１２や脚部１４の幅が、Ｔスロットのそれぞれ対応する頭部溝や脚部溝の幅よりも僅かに小さくされて、形成されているところから、ナット１０をＴスロットに挿入した際に、ナット１０がＴスロットの延びる方向に自由に移動可能となると共に、ナット１０がＴスロット内で回転してしまうことが、効果的に阻止されることとなる。
【００１９】
さらに、そのような本発明に従うナット１０の頭部１２は、図１や図２（ｂ）の断面図からも明らかなように、ナット１０のＴスロットへの挿入方向における前方側と後方側の２つの底部角部は、ナット底面（図において下方）に向かうに従って順次幅狭となる、平坦な傾斜面１６，１６とされている。このように、ナット１０の頭部１２の底部角部に、傾斜面１６，１６が、それぞれ設けられていることによって、ナット１０を、２つの交差するＴスロットの交差点から挿入しようとした際に、頭部を単純な矩形形状とした場合に発生するナット頭部の底部角部とＴスロットの溝側壁や底面との干渉を、効果的に解消することが出来、以て、ナット１０をＴスロット２４内に挿入することが可能となるのである。
【００２０】
なお、そのようなＴスロット用ナット１０にあっては、脚部側の上面から見て脚部１４のほぼ中央位置に、それら一体的に形成された頭部１２と脚部１４とを貫通するように、ねじ孔１８が設けられている。そして、そのようなねじ孔１８には、ナット１０がＴスロット内に挿入された後、テーブル上面からボルト等が螺入されることによって、テーブル上面に設置される各種のワークや治具、工具等の物品が固定されることとなるのである。
【００２１】
ところで、このような本発明に従うＴスロット用ナットであるナット１０を、図３に例示されるような工作機器等のテーブル２２上に設けられたＴスロット２４内に挿入する手順としては、先ず、図３（ａ）に示されるように、２つのＴスロット２４，２４の交差部２６から、ナット１０を、図４（ａ）に示すように、傾斜面１６ａ，１６ｂの設けられた方向をそれぞれ前後方向として、ナット１０を傾けて回動させつつ、交差部２６を通じて、頭部１２の前方側から先に、Ｔスロット２４内に挿入する。
【００２２】
そしてその後、図４（ｂ）〜（ｅ）に示すように、交差部２６において、ナット１０を回動させて、先にＴスロット２４内に挿入したナット１０の頭部１２の前方側を持ち上げつつ、頭部１２の後方側を挿入していくこととなる。つまり、頭部１２の前方側の傾斜面１６ａとＴスロット２４の溝底部２８とが、また頭部１２の後方側の傾斜面１６ｂとＴスロット２４の脚部溝２４ａの内壁３０とが、それぞれ干渉しないように、ナット１０を、２つのＴスロット２４，２４の交差部２６内において、挿入方向の一方のＴスロット２４と交差する他方のＴスロット２４の延びる方向と平行な軸周りに僅かに回動させつつ、挿入することによって、かかる一方のＴスロット２４の頭部溝２４ｂ内に、ナット１０の頭部１２の全体が収容せしめられる。その結果、図３（ｂ）や図４（ｄ）に示される如く、ナット１０の頭部１２はＴスロット２４の頭部溝２４ｂ内に、またナット１０の脚部１４はＴスロットの脚部溝２４ａ内に位置するようになる。
【００２３】
このように、本発明に従うＴスロット用ナットであるナット１０にあっては、ナット１０の頭部１２うち、一方のＴスロット２４への進入方向となる前方側と後方側の底部角部が、それぞれ面取りされた傾斜面１６，１６とされているところから、一方のＴスロット２４内へナット１０を挿入する際に、それら頭部１２の底部角部が、Ｔスロット２４の溝底面２８や脚部溝２４ａの内壁３０と干渉してしまうことが効果的に解消され得ることとなり、その結果、そのようなナット１０を、２つの交差するＴスロット２４，２４の交差部２６から、Ｔスロット２４内に容易に挿入することが可能となるのである。
【００２４】
加えて、かかるナット１０によれば、ナット１０へ螺入されるボルトを締めたり、緩めたりする回転力が加わった場合にあっても、ナット１０がＴスロット２４内で回転することがないところから、従来の台形形状や菱形形状のＴスロット用ナットにように、Ｔスロット内からナット１０が抜け外れてしまう問題が、効果的に解消され得ることとなる。
【００２５】
以上、本発明に係るＴスロット用ナットの具体例の一つについて詳述してきたが、これは文字通りの例示であって、本発明は、そのような具体例にのみ限定して解釈されるものでないことが、理解されるべきである。
【００２６】
例えば、ナット１０の頭部１２の底部角部にそれぞれ設けられた傾斜面１６，１６は、前述の具体例の如く、平坦な傾斜面でなくともよく、例えば、図５（ａ）及び（ｂ）に示される如く、外方に凸な湾曲面３２にて形成されていることも、勿論可能である。つまり、それぞれの底部角部が、Ｔスロットへの挿入の際に溝底面や側面と干渉しない大きさで面取りがされていれば良いのである。
【００２７】
また、本実施例においては、頭部１２とほぼ同じ高さの脚部１４が一体的に設けられていたが、そのような脚部１４の高さは、Ｔスロット用ナット１０の使用される状況に応じて、適宜変更することも可能である。また、その幅も、挿入されるＴスロット２４の脚部溝２４ｂの溝幅よりも小さくされていればよく、擦動可能な程度の僅かな隙間を形成するような幅とすることによって、より高精度の位置決めを行うことも可能である。
【００２８】
加えて、ナット１０を貫通するようにねじ孔１８が設けられていたが、このようなねじ孔１８は、貫通孔でなくても何等差し支えないのである。
【００２９】
【発明の効果】
以上の説明からも明らかなように、本発明に従うＴスロット用ナットを用いれば、テーブル上に設けられた２本のＴスロットの交差する部位から、かかるＴスロット内にＴスロット用ナットを容易に挿入することが出来、従来のＴスロット用ナットのように、テーブル端面から挿入する必要がなくなると共に、かかるＴスロット用ナットに螺入するボルトによって回転力が加わった場合にあっても、Ｔスロット用ナットがＴスロット内から抜け外れる恐れが効果的に解消され得、その結果、テーブル上でのワークや加工治具等の固定における作業性を、効果的に高めることが可能となるのである。
【図面の簡単な説明】
【図１】本発明に従うＴスロット用ナットの一例を示す斜視説明図である。
【図２】図１に示されるＴスロット用ナットの断面を示す説明図であって、（ａ）は、図１におけるＡ−Ａ断面説明図であり、（ｂ）は、図１におけるＢ−Ｂ断面説明図である。
【図３】本発明に従うＴスロット用ナットを、Ｔスロットに挿入する際の様子を概略的に示す説明図であって、（ａ）は、その斜視説明図であり、（ｂ）は、Ｔスロット内にＴスロット用ナットが収容された様子を示す断面説明図である。
【図４】本発明に従うＴスロット用ナットを、Ｔスロット内に挿入する際の様子を段階的に示すために、ＴスロットをＴスロットの中央で切断して表す断面説明図であって、（ａ）は、Ｔスロットの交差点からＴスロット内にＴスロット用ナットを斜めに挿入した状態を示し、（ｂ）〜（ｅ）は、（ａ）にて挿入したＴスロット用ナットをＴスロットの交差部位で回動させることによって、Ｔスロット用ナットの頭部を、Ｔスロット内に収容させる様子を段階的に示している。
【図５】本発明に従うＴスロット用ナットの別の一例を示す説明図であって、（ａ）は、その正面説明図を示し、（ｂ）は、（ａ）におけるＣ−Ｃ断面説明図である。
【符号の説明】
１０  ナット
１２  頭部
１４  脚部
１６  傾斜面
１８  ねじ孔
２０  フランジ部
２２  テーブル
２４  Ｔスロット
２６  交差部
２８  溝底面
３０  内壁
【図１】
2004324703.tif 000003
【図２】
2004324703.tif 000004
【図３】
2004324703.tif 000005
【図４】
2004324703.tif 000006
【図５】
2004324703.tif 000007